(57)【特許請求の範囲】
【請求項１】
試料成分とともにキャリアガスをカラム内に供給することにより分析を行うガスクロマトグラフであって、
前記キャリアガスを含むガスの消費量を削減するための複数種類の機能に関する設定値を記憶するガス削減設定値記憶部と、
前記ガスクロマトグラフにおける電気の消費量を削減するための複数種類の機能に関する設定値を記憶する電気削減設定値記憶部と、
ガスの消費量及び電気の消費量の少なくとも一方を削減するために選択される一括設定キーを表示部に表示させる表示処理部と、
前記一括設定キーの選択に基づいて、前記ガス削減設定値記憶部及び前記電気削減設定値記憶部の少なくとも一方から設定値を読み出し、前記複数種類の機能に関する設定値を一括で変更する設定値変更処理部とを備えたことを特徴とするガスクロマトグラフ。
【請求項２】
前記表示処理部は、ガスの消費量を削減するために選択される一括設定キー、及び、電気の消費量を削減するために選択される一括設定キーを、別々に前記表示部に表示させることを特徴とする請求項１に記載のガスクロマトグラフ。
【請求項３】
前記表示処理部は、ガスの消費量を削減するための複数種類の機能に関する設定値を一括で表示するガス一括表示画面、及び、電気の消費量を削減するための複数種類の機能に関する設定値を一括で表示する電気一括表示画面を、別々に前記表示部に表示させることを特徴とする請求項１又は２に記載のガスクロマトグラフ。
【請求項４】
前記表示処理部は、前記設定値変更処理部により前記複数種類の機能に関する設定値が一括で変更された状態のときに、その旨を前記表示部に表示させることを特徴とする請求項１〜３のいずれかに記載のガスクロマトグラフ。
【請求項５】
前記表示処理部は、前記設定値変更処理部により前記複数種類の機能に関する設定値が一括で変更された場合のガスの消費量及び電気の消費量の少なくとも一方の削減率を前記表示部に表示させることを特徴とする請求項１〜４のいずれかに記載のガスクロマトグラフ。
【発明の詳細な説明】
【技術分野】
【０００１】
本発明は、試料成分とともにキャリアガスをカラム内に供給することにより分析を行うガスクロマトグラフに関するものである。
【背景技術】
【０００２】
ガスクロマトグラフにおいては、試料成分とともにキャリアガスがカラム内に供給され、当該カラム内をキャリアガスが通過する過程で、各成分が分離されるようになっている。キャリアガスは、試料気化室内で試料成分と混合された後、カラム入口からカラム内に供給される。【０００３】
ガスクロマトグラフにはカラムオーブンが備えられており、分析中は、カラムオーブン内でカラムを加熱しながら、カラム内にキャリアガスを供給することができる。カラムオーブン内には、例えば空気を攪拌するためのファンが設けられている。分析中は、ファンを駆動させることにより、カラムオーブン内の温度分布を均一に保つことができるようになっている。【０００４】
通常、カラム内のキャリアガスの流量やファンの駆動などに関するパラメータは、分析終了後もそのまま維持される。そのため、ガスクロマトグラフにおいて実際に分析を行っていないときにも、キャリアガス及び電気が無駄に消費されるという問題があった。そこで、下記特許文献１などには、キャリアガス及び電気の消費量を削減するための省エネモードを実行することができるような構成が提案されている。
【先行技術文献】
【特許文献】
【０００５】
【特許文献１】特開２０１１−９５０７２号公報
【発明の概要】
【発明が解決しようとする課題】
【０００６】
しかしながら、ガスクロマトグラフにおいては、キャリアガスの流量だけでなく、キャリアガスに関する他のパラメータや、キャリアガス以外のガスに関するパラメータも設定可能となっているのが一般的である。また、電気の消費に関しても、カラムオーブン内のファンの駆動だけでなく、他の各種機能についての電気的な設定を行うことができるようになっているのが一般的である。【０００７】
従来のガスクロマトグラフでは、上記のようなガスや電気に関する各種パラメータを別々に設定する必要があるため、作業に不慣れなユーザの場合には、容易に適切な値に設定することが困難であった。そのため、ユーザが時間をかけて各種パラメータを設定したとしても、ガスや電気の消費量を効率的に削減することができない場合があった。【０００８】
本発明は、上記実情に鑑みてなされたものであり、ガス又は電気の消費量を容易かつ効率的に削減することができるガスクロマトグラフを提供することを目的とする。
【課題を解決するための手段】
【０００９】
本発明に係るガスクロマトグラフは、試料成分とともにキャリアガスをカラム内に供給することにより分析を行うガスクロマトグラフであって、前記キャリアガスを含むガスの消費量を削減するための複数種類の機能に関する設定値を記憶するガス削減設定値記憶部と、前記ガスクロマトグラフにおける電気の消費量を削減するための複数種類の機能に関する設定値を記憶する電気削減設定値記憶部と、ガスの消費量及び電気の消費量の少なくとも一方を削減するために選択される一括設定キーを表示部に表示させる表示処理部と、前記一括設定キーの選択に基づいて、前記ガス削減設定値記憶部及び前記電気削減設定値記憶部の少なくとも一方から設定値を読み出し、前記複数種類の機能に関する設定値を一括で変更する設定値変更処理部とを備えたことを特徴とする。【００１０】
このような構成によれば、一括設定キーを選択することにより、ガスの消費量を削減するための複数種類の機能に関する設定値、及び、電気の消費量を削減するための複数種類の機能に関する設定値の少なくとも一方を一括で変更することができる。したがって、例えば作業に不慣れなユーザであっても、複数種類の機能に関する設定値を容易に適切な値に設定することができるため、ガス又は電気の消費量を容易かつ効率的に削減することができる。【００１１】
前記表示処理部は、ガスの消費量を削減するために選択される一括設定キー、及び、電気の消費量を削減するために選択される一括設定キーを、別々に前記表示部に表示させることが好ましい。【００１２】
このような構成によれば、別々に表示部に表示されるガス及び電気についての各一括設定キーを選択することにより、ガス及び電気の消費量を別々に削減することができる。特にガスについての設定値には、分析に影響を与えるパラメータの設定値が含まれている場合が多いため、電気についての設定値を変更する場合と比較して、より慎重に設定値を変更する必要がある。そのため、ガス及び電気についての各一括設定キーを別々に選択可能な構成とすることによって、ガス及び電気についての設定値をより適切に設定することができる。【００１３】
前記表示処理部は、ガスの消費量を削減するための複数種類の機能に関する設定値を一括で表示するガス一括表示画面、及び、電気の消費量を削減するための複数種類の機能に関する設定値を一括で表示する電気一括表示画面を、別々に前記表示部に表示させることが好ましい。【００１４】
このような構成によれば、別々に表示部に表示されるガス一括表示画面及び電気一括表示画面により、ユーザが、ガス及び電気についての設定値をそれぞれ一括で分かりやすく確認することができる。したがって、ガス及び電気に関する複数種類の機能について個々に設定値を確認する必要があった従来の構成と比較して、設定操作を円滑に短時間で行うことができる。【００１５】
前記表示処理部は、前記設定値変更処理部により前記複数種類の機能に関する設定値が一括で変更された状態のときに、その旨を前記表示部に表示させることが好ましい。【００１６】
このような構成によれば、ガス又は電気についての設定値が一括で変更された状態である旨を、ユーザが、表示部の表示により容易に確認することができる。したがって、ガス又は電気の消費量が効率的に削減されている状態であることが分かりやすく、使い勝手がよい。【００１７】
前記表示処理部は、前記設定値変更処理部により前記複数種類の機能に関する設定値が一括で変更された場合のガスの消費量及び電気の消費量の少なくとも一方の削減率を前記表示部に表示させることが好ましい。【００１８】
このような構成によれば、ガス又は電気についての設定値が一括で変更された場合に、ガス又は電気の消費量をどの程度削減することができるかを、ユーザが容易に確認することができるため、使い勝手がよい。
【発明の効果】
【００１９】
本発明によれば、複数種類の機能に関する設定値を容易に適切な値に設定することができるため、ガス又は電気の消費量を容易かつ効率的に削減することができる。
【図面の簡単な説明】
【００２０】
【図１】本発明の一実施形態に係るガスクロマトグラフの構成例を示した概略図である。
【図２】図１のガスクロマトグラフにおける電気的構成の一例を示したブロック図である。
【図３】表示部の表示画面の具体例を示した図であり、エコ設定画面を示している。
【図４】表示部の表示画面の具体例を示した図であり、ガス一括表示画面を示している。
【図５】表示部の表示画面の具体例を示した図であり、電気一括表示画面を示している。
【図６】表示部の表示画面の具体例を示した図であり、ガス料金表示画面を示している。
【発明を実施するための形態】
【００２１】
図１は、本発明の一実施形態に係るガスクロマトグラフの構成例を示した概略図である。このガスクロマトグラフは、試料成分とともにキャリアガスをカラム１内に供給することにより分析を行うためのものであり、上記カラム１以外に、カラムオーブン２、ガス導入部３及び検出器４などを備えている。
【００２２】
カラム１は、例えばキャピラリカラムからなり、分析中はカラムオーブン２内で加熱される。キャリアガスは、ガス導入部３からカラム入口５を介して、各試料成分とともにカラム１内に供給される。各試料成分は、カラム１を通過する過程で分離され、検出器４により検出される。検出器４は、例えば水素炎イオン化検出器（ＦＩＤ）などの各種検出器により構成することができる。
【００２３】
カラムオーブン２内には、ヒータ２１及びファン２２などが設けられている。ヒータ２１は、カラムオーブン２内の空気を加熱することによりカラム１を加熱する。ファン２２は、モータＭで回転されることにより空気を攪拌させるためのものであり、このファン２２の駆動を制御することにより、カラムオーブン２内の温度分布を均一に保つことができる。
【００２４】
ガス導入部３は、カラム入口５からカラム１内にキャリアガスを導入するためのものであり、例えば内部に試料気化室（図示せず）が形成されている。この試料気化室には、液体試料が注入され、試料気化室内で気化された試料成分が、キャリアガスとともにカラム入口５からカラム１内に導入されるようになっている。試料気化室には、ガス供給流路６、パージ流路７及びスプリット流路８などが連通している。
【００２５】
ガス供給流路６は、ガス導入部３の試料気化室にキャリアガスを供給するための流路である。パージ流路７は、セプタムなどから生じる所望しない成分を外部に排出するための流路である。スプリット流路８は、スプリット導入法によりカラム入口５からカラム１内にキャリアガスを導入する際に、余分な試料成分をキャリアガスとともに外部に排出するための流路である。
【００２６】
図２は、図１のガスクロマトグラフにおける電気的構成の一例を示したブロック図である。このガスクロマトグラフの動作は、例えばＣＰＵ（Central Processing Unit）を含む制御部１０によって制御されるようになっている。制御部１０には、操作部２０、表示部３０及び記憶部４０などが接続されている。
【００２７】
操作部２０は、例えばキーボード及びマウスにより構成されており、ユーザは、操作部２０を操作することにより各種設定操作を行うことができる。表示部３０は、例えば液晶表示器により構成されており、当該ガスクロマトグラフの動作に関する各種情報を表示画面に表示させることができる。記憶部４０は、例えばＲＯＭ（Read Only Memory）及びＲＡＭ（Random Access Memory）により構成されている。
【００２８】
制御部１０は、ＣＰＵがプログラムを実行することにより、表示処理部１１及び設定値処理部１２などとして機能する。表示処理部１１は、操作部２０の操作に基づいて、表示部３０に対する表示についての処理を行う。設定値処理部１２は、当該ガスクロマトグラフの動作に関する各種設定値についての処理を行うものであり、例えば設定値変更処理部１３及び削減率算出処理部１４などを含む。
【００２９】
本実施形態では、ユーザが操作部２０を操作することにより、キャリアガスの流量などのガスに関するパラメータや、ファン２２の駆動などの電気に関するパラメータを設定することができるようになっている。これらのパラメータの設定値は、記憶部４０に割り当てられた設定値記憶部４１に記憶されている。操作部２０により、上記のような各種パラメータの設定値を変更するための操作が行われた場合には、設定値変更処理部１３が、設定値記憶部４１に記憶されている設定値を変更する処理を行う。
【００３０】
また、本実施形態では、ガスの消費量を削減するための複数種類の機能に関する設定値（ガス削減設定値）と、電気の消費量を削減するための複数種類の機能に関する設定値（電気削減設定値）とが、記憶部４０に割り当てられた削減設定値記憶部４２に記憶されている。すなわち、削減設定値記憶部４２は、複数種類の機能に関するガス削減設定値を記憶するガス削減設定値記憶部、及び、複数種類の機能に関する電気削減設定値を記憶する電気削減設定値記憶部を構成している。
【００３１】
ガス削減設定値は、ガスに関する複数種類の機能について、それぞれガスの消費量が分析中に通常消費される量よりも少なくなるように予め定められた設定値である。上記ガスには、キャリアガスだけでなく、キャリアガス以外のガスも含まれる。一方、電気削減設定値は、電気に関する複数種類の機能について、それぞれ電気の消費量が分析中に通常消費される量よりも少なくなるように予め定められた設定値である。
【００３２】
設定値変更処理部１３は、削減設定値記憶部４２に記憶されているガス削減設定値又は電気削減設定値を読み出して、設定値記憶部４１に記憶されている設定値を変更する処理を行うことができる。また、削減率算出処理部１４は、削減設定値記憶部４２に記憶されているガス削減設定値又は電気削減設定値に基づいて、ガスの消費量又は電気の消費量の削減率を算出することができる。設定値変更処理部１３による処理の結果は、表示処理部１１により表示部３０に表示することができる。
【００３３】
図３〜図６は、表示部３０の表示画面の具体例を示した図である。図３はエコ設定画面３１、図４はガス一括表示画面３２、図５は電気一括表示画面３３、図６はガス料金表示画面３４をそれぞれ示している。
【００３４】
図３に示すエコ設定画面３１では、表示処理部１１の処理により、図４のガス一括表示画面３２を表示させるためのガス選択キー３１１と、図５の電気一括表示画面３３を表示させるための電気選択キー３１２とが表示される。ユーザは、操作部２０を操作することにより、ガス選択キー３１１又は電気選択キー３１２のいずれか一方を選択することができる。
【００３５】
図４に示すガス一括表示画面３２では、表示処理部１１の処理により、ガスセーバー設定キー３２１、キャリアガス種類設定キー３２２、ＣＲＧ動作開始温度設定キー３２３、ＡＦＣ漏れチェック機能設定キー３２４、一括設定キー３２５、エコ状態表示３２６及びガス削減率表示３２７などが表示される。このガス一括表示画面３２は、ガスの消費量を削減するための複数種類の機能に関する設定値を一括で表示する画面である。
【００３６】
ガスセーバー設定キー３２１は、キャリアガスの消費量を削減するための機能（ガスセーバー）を設定する際に、操作部２０により選択される。ガスセーバー設定キー３２１が選択された場合には、ガスセーバーの設定画面に遷移し、当該機能のパラメータであるセーブ時スプリット比、開始時間、ガスセーバーＡＯＣ連動及びガスセーバー自動オン時間の各設定値を設定することができる。ガスセーバー設定キー３２１を選択して設定が行われた場合には、図４に示すように、ガスセーバー設定キー３２１の側方に「ＯＮ」の文字が表示されるとともに、各パラメータの側方に設定値が表示される。
【００３７】
上記セーブ時スプリット比は、カラム１内に導入されるキャリアガスの流量に対するスプリット流路８から排出されるキャリアガスの流量の比（スプリット比）であり、分析中は、例えば６０〜９９程度に設定される。上記開始時間は、スプリット比を設定された値に変更する時間であり、分析を開始してから何分後にスプリット比を設定された値に変更するかを設定することができる。
【００３８】
上記ガスセーバーＡＯＣ連動は、連続で分析を行う場合に、２回目以降の分析時にスプリット比を元の値に戻す際、オートサンプラ（ＡＯＣ）の動作に連動して自動的にスプリット比を元の値に戻す機能であり、ＯＮ又はＯＦＦに設定することができる。上記ガスセーバー自動オン時間は、分析終了後に待機状態になってからガスセーバーが開始されるまでの時間である。
【００３９】
キャリアガス種類設定キー３２２は、キャリアガスの種類を設定する際に、操作部２０により選択される。キャリアガスとしては、ヘリウムガス、窒素ガス及び水素ガスなどを使用することができる。キャリアガス種類設定キー３２２を選択して設定が行われた場合には、図４に示すように、キャリアガス種類設定キー３２２の側方に選択されたキャリアガスの種類が表示される。
【００４０】
ＣＲＧ動作開始温度設定キー３２３は、低温付加装置（ＣＲＧ）を用いて液化炭酸ガスによりカラム１の温度を急冷する場合、カラム１の温度が何℃になったときに液化炭酸ガスを供給するかを設定する際に、操作部２０により選択される。ＣＲＧ動作開始温度設定キー３２３を選択して設定が行われた場合には、図４に示すように、ＣＲＧ動作開始温度設定キー３２３の側方に設定された温度（ＣＲＧ動作開始温度）が表示される。このＣＲＧ動作開始温度は、通常５０℃程度に設定される。
【００４１】
ＡＦＣ漏れチェック機能設定キー３２４は、電子式フローコントローラ（ＡＦＣ）でキャリアガスの流量を制御して、試料気化室や他の配管などでキャリアガスが漏れているか否かを確認する機能を設定する際に、操作部２０により選択される。当該機能は、ＯＮ又はＯＦＦに設定することができ、ＡＦＣ漏れチェック機能設定キー３２４の側方に設定された内容が表示される。
【００４２】
一括設定キー３２５は、ガス一括表示画面３２に表示されているガスに関する複数種類の機能について、ガスの消費量を一括で削減するために、操作部２０により選択される。この一括設定キー３２５には、ＯＮキーとＯＦＦキーが含まれており、ＯＮキーを選択することにより、ガスの消費量を一括で削減することができる。
【００４３】
すなわち、一括設定キー３２５のＯＮキーが選択された場合には、設定値変更処理部１３により、削減設定値記憶部４２に記憶されているガス削減設定値が読み出され、上記のような複数種類の機能に関する設定値が一括で変更される。この例では、図４に示すように、セーブ時スプリット比が「５」、開始時間が「１」分、ガスセーバーＡＯＣ連動が「ＯＮ」、ガスセーバー自動オン時間が「２」分、ＣＲＧ動作開始温度が「２５」℃、ＡＦＣ漏れチェック機能が「ＯＮ」に一括で設定されている。
【００４４】
なお、キャリアガスの種類については、分析を行う上で非常に重要なパラメータであり、一括設定ではなく、ユーザがキャリアガス種類設定キー３２２を逐一選択して設定した方が好ましいため、一括設定キー３２５のＯＮキーが選択された場合であっても変更されないようになっている。
【００４５】
一括設定キー３２５のＯＮキーが選択されることにより、上記のように複数種類の機能に関する設定値が一括で変更された場合には、変更前の設定値が記憶部４０に一旦記憶される。そして、その後に一括設定キー３２５のＯＦＦキーが選択された場合には、変更前の設定値が記憶部４０から読み出され、当該設定値に変更されることにより、複数種類の機能に関する設定値が一括で元の値に戻される。
【００４６】
本実施形態では、一括設定キー３２５のＯＮキーを選択することにより、ガスの消費量を削減するための複数種類の機能に関する設定値を一括で変更することができるため、例えば作業に不慣れなユーザであっても、複数種類の機能に関する設定値を容易に適切な値に設定することができる。したがって、ガスの消費量を容易かつ効率的に削減することができる。
【００４７】
エコ状態表示３２６は、一括設定キー３２５のＯＮキーが選択されることにより、ガスについての複数種類の機能に関する設定値が一括で変更された状態のときに表示される。これにより、ガスについての設定値が一括で変更された状態である旨を、ユーザが、表示部３０の表示により容易に確認することができる。したがって、ガスの消費量が効率的に削減されている状態であることが分かりやすく、使い勝手がよい。
【００４８】
ガス削減率表示３２７には、ガスの消費量の削減率が表示される。例えば、一括設定キー３２５のＯＮキーが選択されることにより、ガスについての複数種類の機能に関する設定値が一括で変更された状態のときには、その状態におけるガスの消費量と、各設定値が初期値に設定された状態（ガスセーバーの機能はオフ状態）におけるガスの消費量との差に基づいて、削減率算出処理部１４によりガスの消費量の削減率が算出され、その削減率がガス削減率表示３２７として表示される。
【００４９】
これにより、ガスについての設定値が一括で変更された場合に、ガスの消費量をどの程度削減することができるかを、ユーザが容易に確認することができるため、使い勝手がよい。なお、一括設定キー３２５のＯＮキーが選択されていない状態のときには、その状態におけるガスの消費量と、各設定値が初期値に設定された状態におけるガスの消費量との差に基づいて、削減率算出処理部１４によりガスの消費量の削減率が算出され、その削減率がガス削減率表示３２７として表示されてもよい。
【００５０】
図５に示す電気一括表示画面３３では、表示処理部１１の処理により、ＬＣＤバックライト点灯時間キー３３１、バックライト強度キー３３２、ブザーキー３３３、ラウンドインジケータキー３３４、分析時間外オーブン内ファンキー３３５、一括設定キー３３６、エコ状態表示３３７及び電気削減率表示３３８などが表示される。この電気一括表示画面３３は、電気の消費量を削減するための複数種類の機能に関する設定値を一括で表示する画面である。
【００５１】
ＬＣＤバックライト点灯時間キー３３１は、表示部３０に備えられたバックライトを、ガスクロマトグラフが動作していない状態になってから何分後に消灯するかを設定する際に、操作部２０により選択される。ＬＣＤバックライト点灯時間キー３３１を選択して設定が行われた場合には、図５に示すように、ＬＣＤバックライト点灯時間キー３３１の側方に設定値が表示される。
【００５２】
バックライト強度キー３３２は、表示部３０に備えられたバックライトの強度（光量）を設定する際に、操作部２０により選択される。バックライトの強度は、例えば強、中、弱の３段階で設定することができる。バックライト強度キー３３２を選択して設定が行われた場合には、図５に示すように、バックライト強度キー３３２の側方に選択されたバックライトの強度が表示される。
【００５３】
ブザーキー３３３は、エラー発生時やキー操作時などに出力されるブザー音の大きさを設定する際に、操作部２０により選択される。ブザー音は、例えば大、中、小、ＯＦＦの４段階で設定することができる。ブザーキー３３３を選択して設定が行われた場合には、図５に示すように、ブザーキー３３３の側方に選択されたブザー音の大きさが表示される。
【００５４】
ラウンドインジケータキー３３４は、カラムオーブン２の開閉扉に設けられた円形の装飾用ライトを点灯するか否かを設定する際に、操作部２０により選択される。当該機能は、ＯＮ又はＯＦＦに設定することができ、図５に示すように、ラウンドインジケータキー３３４の側方に設定された内容が表示される。
【００５５】
分析時間外オーブン内ファンキー３３５は、分析を行っていないときにファン２２を駆動させるか否かを設定する際に、操作部２０により選択される。当該機能は、強、弱、ＯＦＦの３段階で設定することができ、図５に示すように、分析時間外オーブン内ファンキー３３５の側方に設定された内容が表示される。
【００５６】
一括設定キー３３６は、電気一括表示画面３３に表示されている電気に関する複数種類の機能について、電気の消費量を一括で削減するために、操作部２０により選択される。この一括設定キー３３６には、ＯＮキーとＯＦＦキーが含まれており、ＯＮキーを選択することにより、電気の消費量を一括で削減することができる。
【００５７】
すなわち、一括設定キー３３６のＯＮキーが選択された場合には、設定値変更処理部１３により、削減設定値記憶部４２に記憶されている電気削減設定値が読み出され、上記のような複数種類の機能に関する設定値が一括で変更される。この例では、図５に示すように、ＬＥＤバックライト点灯時間が「２」分、バックライト強度が「弱」、ブザーが「ＯＦＦ」、ラウンドインジケータが「ＯＦＦ」、分析時間外オーブン内ファンが「ＯＦＦ」に一括で設定されている。
【００５８】
一括設定キー３３６のＯＮキーが選択されることにより、上記のように複数種類の機能に関する設定値が一括で変更された場合には、変更前の設定値が記憶部４０に一旦記憶される。そして、その後に一括設定キー３３６のＯＦＦキーが選択された場合には、変更前の設定値が記憶部４０から読み出され、当該設定値に変更されることにより、複数種類の機能に関する設定値が一括で元の値に戻される。
【００５９】
本実施形態では、一括設定キー３３６のＯＮキーを選択することにより、電気の消費量を削減するための複数種類の機能に関する設定値を一括で変更することができるため、例えば作業に不慣れなユーザであっても、複数種類の機能に関する設定値を容易に適切な値に設定することができる。したがって、電気の消費量を容易かつ効率的に削減することができる。
【００６０】
エコ状態表示３３７は、一括設定キー３３６のＯＮキーが選択されることにより、電気についての複数種類の機能に関する設定値が一括で変更された状態のときに表示される。これにより、電気についての設定値が一括で変更された状態である旨を、ユーザが、表示部３０の表示により容易に確認することができる。したがって、電気の消費量が効率的に削減されている状態であることが分かりやすく、使い勝手がよい。
【００６１】
なお、図４に示すようなガスについてのエコ状態表示３２６と、図５に示すような電気についてのエコ状態表示３３７とは、表示部３０の表示画面上における同じ位置に表示されてもよい。この場合、ガスについての設定値のみが一括で変更された状態と、電気についての設定値のみが一括で変更された状態と、ガス及び電気についての設定値がいずれも一括で変更された状態とで、エコ状態表示３２６，３３７の色が異なるような構成であってもよい。
【００６２】
電気削減率表示３３８には、電気の消費量の削減率が表示される。例えば、一括設定キー３３６のＯＮキーが選択されることにより、電気についての複数種類の機能に関する設定値が一括で変更された状態のときには、その状態における電気の消費量と、各設定値が初期値に設定された状態における電気の消費量との差に基づいて、削減率算出処理部１４により電気の消費量の削減率が算出され、その削減率が電気削減率表示３３８として表示される。
【００６３】
これにより、電気についての設定値が一括で変更された場合に、電気の消費量をどの程度削減することができるかを、ユーザが容易に確認することができるため、使い勝手がよい。なお、一括設定キー３３６のＯＮキーが選択されていない状態のときには、その状態における電気の消費量と、各設定値が初期値に設定された状態における電気の消費量との差に基づいて、削減率算出処理部１４により電気の消費量の削減率が算出され、その削減率が電気削減率表示３３８として表示されてもよい。
【００６４】
本実施形態では、別々に表示部３０に表示されるガス及び電気についての各一括設定キー３２５，３３６を選択することにより、ガス及び電気の消費量を別々に削減することができる。特にガスについての設定値には、分析に影響を与えるパラメータの設定値が含まれている場合が多いため、電気についての設定値を変更する場合と比較して、より慎重に設定値を変更する必要がある。そのため、ガス及び電気についての各一括設定キー３２５，３３６を別々に選択可能な構成とすることによって、ガス及び電気についての設定値をより適切に設定することができる。
【００６５】
また、本実施形態では、別々に表示部３０に表示されるガス一括表示画面３２及び電気一括表示画面３３により、ユーザが、ガス及び電気についての設定値をそれぞれ一括で分かりやすく確認することができる。したがって、ガス及び電気に関する複数種類の機能について個々に設定値を確認する必要があった従来の構成と比較して、設定操作を円滑に短時間で行うことができる。
【００６６】
図６に示すガス料金表示画面３４は、図４におけるガス削減率表示３２７が操作部２０で選択された場合に、表示処理部１１の処理により表示される。このガス料金表示画面３４では、現状ガス料金３４１、エコ推奨設定時ガス料金３４２及びエコ未使用時ガス料金３４３が、互いに比較可能な状態で表示される。
【００６７】
現状ガス料金３４１は、ガスについての現状の設定値における所定期間のガス料金である。エコ推奨設定時ガス料金３４２は、一括設定キー３２５を選択してガスについての設定値を一括で推奨値に変更していた場合の上記所定期間のガス料金である。エコ未使用時ガス料金３４３は、ガスについての各設定値が初期値に設定されていた場合（ガスセーバーの機能はオフ状態）の上記所定期間のガス料金である。上記所定期間は、この例では過去一ヶ月であるが、これに限られるものではない。
【００６８】
図６では、図４におけるガス削減率表示３２７が操作部２０で選択された場合に表示されるガス料金表示画面３４について説明したが、図５における電気削減率表示３３８が操作部２０で選択された場合には、電気料金表示画面が表示され、現状電気料金、エコ推奨設定時電気料金及びエコ未使用時電気料金が、互いに比較可能な状態で表示されてもよい。
【００６９】
上記のようなガス料金又は電気料金の計算は、制御部１０により行うことができる。例えば、ガス料金又は電気料金の単価を入力するための単価設定画面を表示処理部１１により表示部３０に表示させ、入力された単価を用いてガス料金又は電気料金が計算されてもよい。この場合、制御部１０は、ガス料金又は電気料金を算出するための料金算出処理部として機能することとなる。
【００７０】
以上の実施形態では、ガスの消費量を削減するための複数種類の機能に関する設定値、及び、電気の消費量を削減するための複数種類の機能に関する設定値が、別々の一括設定キー３２５，３３６により一括で変更可能な構成について説明した。しかし、このような構成に限らず、ガスの消費量を削減するための複数種類の機能に関する設定値、及び、電気の消費量を削減するための複数種類の機能に関する設定値が、１つの一括設定キーにより一括で変更可能な構成であってもよい。
【００７１】
また、ガスの消費量を削減するための複数種類の機能、及び、電気の消費量を削減するための複数種類の機能は、それぞれ上記実施形態に例示したような機能に限らず、他の機能であってもよい。
【符号の説明】
【００７２】
１    カラム
２    カラムオーブン
３    ガス導入部
４    検出器
５    カラム入口
６    ガス供給流路
７    パージ流路
８    スプリット流路
１０    制御部
１１    表示処理部
１２    設定値処理部
１３    設定値変更処理部
１４    削減率算出処理部
２０    操作部
２１    ヒータ
２２    ファン
３０    表示部
３１    エコ設定画面
３２    ガス一括表示画面
３３    電気一括表示画面
３４    ガス料金表示画面
４０    記憶部
４１    設定値記憶部
４２    削減設定値記憶部
３２５    一括設定キー
３２６    エコ状態表示
３２７    ガス削減率表示
３３６    一括設定キー
３３７    エコ状態表示
３３８    電気削減率表示
【図１】
0006020726.tif 000002
【図２】
0006020726.tif 000003
【図３】
0006020726.tif 000004
【図４】
0006020726.tif 000005
【図５】
0006020726.tif 000006
【図６】
0006020726.tif 000007